(57)【要約】【課題】画像形成装置に用いられる消耗品が温室効果ガス排出枠（温室効果ガス排出権）付き消耗品である場合に、社外に温室効果ガス削減活動を行っていることをアピールするとともに、社外にも温室効果ガス削減活動を喚起する。【解決手段】画像形成装置１の制御部５０１は、検出部５０９ａにより消耗品の記憶手段に記憶された記憶情報により温室効果ガス排出枠付きの消耗品であることを確認する。正規の温室効果ガス排出枠付き消耗品であった場合、制御部５０１は、表示部１０１に消耗品が「温室効果ガス削除活動」を喚起する文章を表示させ、社外に印刷する記録紙にも画像形成部５０９によってその文章を印刷させる。【選択図】図２
2012226120.tif 000002
【特許請求の範囲】
【請求項１】
温室効果ガス削減活動を喚起する画像形成装置であって、
操作入力を行うための内容を表示する表示手段と、
記録紙に印刷する画像形成手段と、
消耗品に備えられた記憶手段から該消耗品の情報を検出する検出手段と、
前記検出手段の検出結果に基づいて前記表示手段の表示内容および前記画像形成手段の印刷を制御する制御手段と、
を備え、
前記制御手段は、
前記検出手段が前記消耗品の情報から温室効果ガス排出枠付き消耗品が装着されたことを検出した際、前記表示手段に社外用印刷モードと社内用印刷モードとを表示させ、
ユーザが前記社外用印刷モードを選択した際、温室効果ガス削減活動を喚起する旨の情報を前記画像形成手段によって記録紙に印刷させることを特徴とする画像形成装置。
【請求項２】
前記消耗品の情報は、少なくとも温室効果ガス排出権クレジット番号、または温室効果ガス削減プロジェクト番号のいずれかであることを特徴とする請求項１に記載の画像形成装置。
【請求項３】
前記温室効果ガス削減活動を喚起する旨の情報は、あらかじめ装置本体の記憶手段に記憶されてユーザが選択可能となっていることを特徴とする請求項１又は２に記載の画像形成装置。
【請求項４】
前記消耗品に備えられた記憶手段は、ＩＣチップ、バーコード、ＱＲコードの何れかを用いることを特徴とする請求項１から３のうちの何れか一項に記載の画像形成装置。
【請求項５】
請求項１から４のうちの何れか一項に記載の画像形成装置と、前記画像形成装置で印刷するデータを表示する表示装置とに接続する管理サーバであって、
前記画像形成装置から印刷データを読み出す読み出し手段と、
読み出した印刷データを前記表示装置に表示できるように変換するサーバ制御手段と、
を備え、
前記サーバ制御手段は、
前記画像形成装置に温室効果ガス排出枠付き消耗品が装着されている場合、前記社外用印刷モードの前記印刷データを前記表示装置に表示する場合、前記温室効果ガス削減活動を喚起する旨の情報を前記表示装置に表示することを特徴とする管理サーバ。
【請求項６】
請求項１から４のうちの何れか一項に記載の画像形成装置の印刷データを、請求項５に記載の管理サーバに従って表示する表示装置。
【請求項７】
請求項１から４のうちの何れか一項に記載の画像形成装置と、
請求項５に記載の管理サーバと、
請求項６に記載の表示装置と、
を備えたことを特徴とする温室効果ガス削減活動喚起システム。
【請求項８】
画像形成装置に用いられる消耗品として再生消耗品の使用を推奨する温室効果ガス削減活動喚起方法であって、
請求項１から４のうちの何れか一項に記載の画像形成装置を用いることを特徴とする温室効果ガス削減活動喚起方法。
【発明の詳細な説明】
【技術分野】
【０００１】
本発明は、画像形成装置、制御装置、表示装置、これらを用いた温室効果ガス削減活動喚起システム、及び温室効果ガス削減活動喚起方法に係り、特に、購入またはリースされている画像形成装置に用いられる消耗品が温室効果ガス排出枠（温室効果ガス排出権）付き消耗品である場合に、社外に温室効果ガス削減活動を行っていることをアピールするとともに、社外にも温室効果ガス削減活動を喚起する画像形成装置、管理サーバ、表示装置、これらを用いた温室効果ガス削減活動喚起システム、及び温室効果ガス削減活動喚起方法に関する。
【背景技術】
【０００２】
近年、複写機、ファクシミリ、プリンタ等の画像形成装置において、地球環境への配慮から、画像形成装置に用いられる消耗品や交換部品などにおいても、地球環境への負荷を低減した再生品を使用することが促進されている。
また、ＣＯ２排出量低減の為、ユーザに対して改善を推奨することも行なわれている。
【０００３】
下記特許文献１には、「トナーカートリッジ等の消耗品や交換部品が装着された印刷装置であって、ＣＯ２排出権付きの消耗品又は交換部品が装着されたことを検出し、装着情報を記憶する記憶手段と、印刷データの印刷処理を行うと共に、印刷データの印刷処理の際、記憶手段に消耗品又は交換部品の装着情報が記憶されているとき、印刷データの印刷結果と共に、エコロジーマークの印刷を行うこと」が記載されている。
【０００４】
これにより、プリンタ装置等の印刷装置を使用する際、エコロジーマーク又はエコロジー報知文字列の印刷によって、消耗品又は交換部品の装着によるＣＯ２等の温室効果ガスの排出量削減に関する環境保護の意識を想起させ、環境保護の推進を図ることができる。
【先行技術文献】
【特許文献】
【０００５】
【特許文献１】特開２０１１−２５４２７号公報
【発明の概要】
【発明が解決しようとする課題】
【０００６】
しかし、ユーザ側においては、消耗品容器の回収の動機づけが必ずしも大きくないので、消耗品容器の回収の点で問題が生じていた。このため、消耗品容器が完全に再利用できているとは言い難いのが実情であった。
【０００７】
上記特許文献１では、社内に配布する印刷資料（全ての印刷）に対してもエコロジーマーク又はエコロジー報知文字列の印刷処理を実行する為、消耗品の消費量が多くなり、ユーザへの経済的負担が増えると供に、結果的に地球環境への貢献が薄れてしまう。
【０００８】
本発明は、上述の課題を解決するためになされたものであり、画像形成装置に用いられる消耗品が温室効果ガス排出枠（温室効果ガス排出権）付き消耗品である場合に、社外に温室効果ガス削減活動を行っていることをアピールするとともに、社外にも温室効果ガス削減活動を喚起する画像形成装置、管理サーバ、表示装置、これらを用いた温室効果ガス削減活動喚起システム、及び温室効果ガス削減活動喚起方法を提供することを目的とする。
【課題を解決するための手段】
【０００９】
本発明は、温室効果ガス削減活動を喚起する画像形成装置であって、
操作入力を行うための内容を表示する表示手段と、記録紙に印刷する画像形成手段と、消耗品に備えられた記憶手段から該消耗品の情報を検出する検出手段と、前記検出手段の検出結果に基づいて前記表示手段の表示内容および前記画像形成手段の印刷を制御する制御手段と、を備え、
前記制御手段は、前記検出手段が前記消耗品の情報から温室効果ガス排出枠付き消耗品が装着されたことを検出した際、前記表示手段に社外用印刷モードと社内用印刷モードとを表示させ、ユーザが前記社外用印刷モードを選択した際、温室効果ガス削減活動を喚起する旨の情報を前記画像形成手段によって記録紙に印刷させることを特徴とする。
【００１０】
また、前記消耗品の情報は、少なくとも温室効果ガス排出権クレジット番号、または温室効果ガス削減プロジェクト番号のいずれかであることを特徴とする。
【００１１】
また、前記温室効果ガス削減活動を喚起する旨の情報は、あらかじめ装置本体の記憶手段に記憶されてユーザが選択可能となっていることを特徴とする。
【００１２】
また、前記消耗品に備えられた記憶手段は、ＩＣチップ、バーコード、ＱＲコードの何れかを用いることを特徴とする。
【００１３】
また、本発明は、前記画像形成装置と、前記画像形成装置で印刷するデータを表示する表示装置とに接続する管理サーバであって、
前記画像形成装置から印刷データを読み出す読み出し手段と、読み出した印刷データを前記表示装置に表示できるように変換するサーバ制御手段と、を備え、
前記サーバ制御手段は、前記画像形成装置に温室効果ガス排出枠付き消耗品が装着されている場合、前記社外用印刷モードの前記印刷データを前記表示装置に表示する場合、前記温室効果ガス削減活動を喚起する旨の情報を前記表示装置に表示することを特徴とする。
【００１４】
また、本発明は、前記画像形成装置の印刷データを、前記管理サーバに従って表示する表示装置である。
【００１５】
また、本発明は、前記画像形成装置と、前記管理サーバと、前記表示装置と、を備えたことを特徴とする温室効果ガス削減活動喚起システムである。
【００１６】
また、本発明は、画像形成装置に用いられる消耗品として再生消耗品の使用を推奨する温室効果ガス削減活動喚起方法であって、前記画像形成装置を用いることを特徴とする。
【発明の効果】
【００１７】
本発明によれば、社外用に用いる名刺、封書、葉書、社外用プレゼン資料等に温室効果ガス削減に取り組んでいることをアピールでき、社外の人達に対しても環境に優しい活動に参加するよう喚起することができる。
また、対環境意識を多数の人達に訴求できるので、対環境意識の和が広がり、延いては地球温暖化防止に貢献できる。
さらに、アピールする情報を社外用に選択できるので、消耗品の消費を抑制して経費削減ができる。
【００１８】
また、本発明によれば、前記消耗品の情報は、少なくとも温室効果ガス排出権クレジット番号、または温室効果ガス削減プロジェクト番号のいずれかであるので、正規の温室効果ガス排出権付き消耗品であることを容易に検出できる。
【００１９】
また、本発明によれば、温室効果ガス削減活動を喚起する旨の情報は、あらかじめ装置本体の記憶手段に記憶されてユーザが選択可能となっているので、温室効果ガス削減事業を支援（推進）する旨の情報（アピール文章）を保持した記録情報を逐次読み出して印刷でき、印刷操作の手間が省略できる。
【００２０】
また、本発明によれば、消耗品に備えられた記憶手段は、ＩＣチップ、バーコード、ＱＲコードの何れかを用いるので、画像形成装置の検出手段で容易に記憶情報を読み出すことができる。
【図面の簡単な説明】
【００２１】
【図１】本発明の実施形態に係る画像形成装置の全体の構成を示す説明図である。
【図２】本実施形態の画像形成装置の構成を示すブロック図である。
【図３】本実施形態の画像形成装置の温室効果ガス排出枠取得システムと温室効果ガス削減活動喚起システムとを構成する通信ネットワークの一例を示す説明図である。
【図４】本実施形態に係る画像形成装置の操作パネルの構成を示す説明図である。
【図５】操作パネルを構成する表示部に表示されたＤＯＣＵＭＥＮＴ  ＦＩＬＩＮＧ  モードの初期画面を示す説明図である。
【図６】表示部に表示されたデータ管理サーバから画像形成装置へ通知された消耗品購入情報と消耗品の注文先情報とを含むメッセージのプレビュー表示の一例を示す説明図である。
【図７】表示部に表示されたＩＭＡＧＥ  ＳＥＮＤ  モードの初期画面を示す説明図である。
【図８】本実施形態に係る画像形成装置の制御部の動作を示す制御フローチャートである。
【図９】社外用印刷モードと社内用印刷モードの選択画面を示す説明図である。
【図１０】「社外用印刷モードのご説明」の画面を示す説明図である。
【図１１】名刺用のプレビュー画面である。
【図１２】他の名刺用のプレビュー画面である。
【図１３】プレゼンテーション書類のプレビュー画面である。
【図１４】他のプレゼンテーション書類のプレビュー画面である。
【図１５】温室効果ガス削減活動喚起システムを示すブロック図である。
【図１６】表示装置の一表示例を示す説明図である。
【図１７】温室効果ガス削減活動喚起システムの処理を示すフローチャートである。
【図１８】表示装置の他の表示例を示す説明図である。
【発明を実施するための形態】
【００２２】
以下、本発明を実施するための形態について図面を参照して説明する。
図１は発明を実施する形態の一例であって、本発明の実施形態に係る画像形成装置の全体の構成を示す説明図である。
【００２３】
図１に示す画像形成装置は、購入またはリースされている画像形成装置である。画像形成装置は、後に説明する温室効果ガス排出枠付き消耗品取得システムを構成するものであり、データ管理サーバに接続されて電子写真方式によりトナーを用いて画像を形成する。この温室効果ガス排出枠付き消耗品取得システムは、画像形成装置に用いられる温室効果ガス排出枠（温室効果ガス排出権）が付与された消耗品の使用状況から消耗品の取得を促す温室効果ガス排出枠付き消耗品取得システムである。
【００２４】
まず、画像形成装置１の全体構成について説明する。
画像形成装置１は、外部から伝達される画像データに応じて所定のシート（記録用紙，記録媒体）に画像を形成するものである。画像形成装置１は、図１に示すように、主に、本体装置である電子写真プロセス部（図示省略）を備えた画像形成部３と、操作パネル１００とスキャナユニット（図示省略）を備えた画像読取部２とを備えて構成されている。
【００２５】
原稿画像をスキャナユニットで読み取ることにより得られた画像データは、各種処理が施された後、メモリに一旦記憶され、出力指示に応じてメモリから画像データを画像形成部３に出力して、感光体ドラム（図示省略）上に可視画像として再現した後、用紙上に画像を転写してトナー像を形成する。
【００２６】
画像形成部３に隣接して用紙を供給する給紙部４が構成されている。
給紙部４は、第１〜３カセット３１，３２，３３、さらにオプションとして大容量カセット３４を有している。大容量カセット３４は、最も使用頻度の高い、例えばＡ４サイズの標準紙を大量に収容することができる。
【００２７】
画像読取部２と画像形成部３の間には排紙トレイ５１が形成されている。
画像形成部３に隣接して後処理装置５が構成されている。
後処理装置５には、第１排紙卜レイ５２，第２排紙トレイ５３が設けられている。
【００２８】
そして、画像形成装置１は、図示しないネットワーク回線（ＬＡＮ、電話回線等）を介してＰＣ、ＦＡＸ、及びメーカー、販売先またはリース先等のデータ管理サーバに接続されている。
【００２９】
ここで、画像形成装置１の構成についてブロック図を参照して説明する。
図２は本実施形態の画像形成装置の構成を示すブロック図である。
【００３０】
画像形成装置１は、図２に示すように、電気的構成として、画像形成装置１の動作を制御する制御部５０１、記憶部５０２、演算部５０３、表示部１０１、入力部５０５、ネットワーク回線を介してＰＣ等とＬＡＮ接続等を行う通信部５０６、画像処理を行う画像処理部５０８、画像形成を行う画像形成部５０９、トナー像の定着処理を行う定着部５１０、スキャナにおいて画像の読み取りを行う読取部５０７、後処理装置５（図２の周辺機器を指す）の動作を制御する制御部５１１などを備えている。
【００３１】
なお、本実施形態では、画像形成装置１に用いられる消耗品には、記憶手段として、ＩＣチップ（無線ＩＣタグや接点式ＣＲＵＭ）、バーコード、ＱＲコード（登録商標）等が備えられている。
【００３２】
そして、画像形成装置１は、この消耗品の記憶手段に格納された情報を検出する検出部（検出手段）５０９ａを備えている。
検出部５０９ａは、ユーザが画像形成装置１で使用している消耗品の情報を検出する。
演算部５０３は、消耗品の使用状態に応じて印刷枚数を算出する機能（印刷枚数算出手段）を備えている。
【００３３】
制御部５０１は、検出部５０９ａにより検出された検出結果（消耗品の情報）に加えて、演算部５０３により算出された算出結果（消耗品による印刷枚数）を後述するデータ管理サーバ７０１に通知する機能（消耗品情報通知手段）を備えている。
【００３４】
本実施形態では、制御部５０１は、後述するデータ管理サーバ７０１において、検出部５０９ａにより検出された消耗品が再生消耗品ではないと判断された場合に、データ管理サーバ７０１より通知される再生消耗品を使用することを推奨する再生消耗品の使用推奨メッセージを表示部１０１に表示するとともに、画像形成装置１をＲｅａｄｙ状態に起動するようにされている。
【００３５】
次に、本実施形態の画像形成装置１に用いられる特徴的な温室効果ガス排出枠取得システムについて図面を参照して説明する。
図３は本実施形態の画像形成装置の温室効果ガス排出枠取得システムと温室効果ガス削減活動喚起システムとを構成する通信ネットワークの一例を示す説明図、図４は本実施形態に係る画像形成装置の操作パネルの構成を示す説明図、図５は前記操作パネルを構成する表示部に表示されたＤＯＣＵＭＥＮＴ  ＦＩＬＩＮＧ  モードの初期画面を示す説明図、図６は前記表示部に表示されたデータ管理サーバから画像形成装置へ通知された消耗品購入情報と消耗品の注文先情報とを含むメッセージのプレビュー表示の一例を示す説明図、図７は前記表示部に表示されたＩＭＡＧＥ  ＳＥＮＤ  モードの初期画面を示す説明図である。
【００３６】
本実施形態に係る画像形成装置１の温室効果ガス排出枠付き消耗品取得システムは、図３に示すように、画像形成装置１に用いられる温室効果ガス排出権が付与された消耗品の使用状況から消耗品の取得を促す温室効果ガス排出枠付き消耗品取得システムであって、通信部５０６によりＬＡＮ（ローカルエリアネットワーク）７００を介して画像形成装置１がメーカー、販売先またはリース先等のデータ管理サーバ７０１に接続されて、データ管理サーバ７０１を管理する事業者からユーザに対して消耗品が無くなる前に消耗品の取得（購入）する旨を通知することを特徴とするものである。
【００３７】
また、図３に示すように、画像形成装置１と、それにＬＡＮ７００を介して接続する管理サーバ３０１とディスプレイ（表示装置）３２０とからなる温室効果ガス削減活動喚起システムが存在する。詳しくは、後述するが、画像形成装置１は、温室効果ガス削減活動喚起する表示及び印刷を行い、サーバ３０１によりディスプレイ３２０は、その印刷画像を表示する。
【００３８】
この温室効果ガス排出枠付き消耗品取得システムは、画像形成装置１と消耗品の販売先のデータ管理サーバ７０１とが通信接続としてＬＡＮ（ローカルエリアネットワーク（通信手段））７００を介して接続されて、販売先により画像形成装置１の消耗品の使用状況が監視可能に構成されるとともに、データ管理サーバ７０１と消耗品販売会社とがＬＡＮ７００を介して接続されている。
【００３９】
また、温室効果ガス排出枠付き消耗品取得システムは、画像形成装置１側に、画像形成装置１に用いられる消耗品に備えられた記憶手段に格納されている情報を検出する機能（検出手段）と、その検出結果（消耗品の情報）をデータ管理サーバ７０１に通知する機能（消耗品情報通知手段）と、消耗品による印刷枚数を算出する機能（印刷枚数算出手段）を備えている。また、データ管理サーバ７０１側に、算出された消耗品による印刷枚数が消耗品のメーカー保証の印刷枚数（印刷保証枚数）に近づいたか否かを判断する機能（消耗品使用状況判定手段）と、算出された消耗品による印刷枚数が消耗品のメーカー保証の印刷枚数に近づいたと判断された場合に、画像形成装置１のユーザ情報とメーカー保証の印刷枚数に近づいたという消耗品使用情報とを画像形成装置の設置場所から最寄りの消耗品販売会社へ通知するとともに、消耗品の購入時期が近づいたという消耗品購入情報と消耗品の注文先情報とを画像形成装置１へ通知する機能（情報通知手段）を備えている。
【００４０】
本実施形態では、画像形成装置１は、画像形成装置１に用いられる消耗品に備えられた記憶手段に格納されている情報を検出する検出部５０９ａと、消耗品による印刷枚数を算出する演算部５０３とを備えるとともに、制御部５０１が、検出部５０９ａにより検出された消耗品の情報や演算部５０３により算出された算出結果をデータ管理サーバ７０１に通知する消耗品情報通知手段として機能するように構成されている。
【００４１】
また、データ管理サーバ７０１が、画像形成装置１に用いられる消耗品の情報を格納する消耗品情報記憶手段として機能し、演算部５０３により算出された消耗品による印刷枚数が消耗品のメーカー保証の印刷枚数（印刷保証枚数）に近づいたか否かを判断する消耗品使用状況判定手段として機能するように構成されている。さらに、データ管理サーバ７０１が、消耗品による印刷枚数が消耗品のメーカー保証の印刷枚数に近づいたと判断された場合に、画像形成装置１のユーザ情報とメーカー保証の印刷枚数に近づいたという消耗品使用情報とを画像形成装置の設置場所から最寄りの消耗品販売会社へ通知するとともに、消耗品の購入時期が近づいたという消耗品購入情報と消耗品の注文先情報とを画像形成装置１へ通知する情報通知手段として機能するように構成されている。
【００４２】
また、本実施形態では、操作パネル１００の表示部１０１が、温室効果ガス排出枠付き消耗品取得システムの表示部として機能するように構成されている。
【００４３】
操作パネル１００は、図４に示すように、操作面（入力部）１００ａが略平面状に構成されて、その略中央部に表示部１０１が構成されている。
なお、表示部１０１は、操作面（入力部）１００ａと同一平面でなくとも、操作面（入力部）１００ａに対して開閉移動式であってもよいし、操作面（入力部）１００ａとは別に設けてもよい。また、それらを組み合わせてもよい。
【００４４】
また、表示部１０１は、タッチパネルまたは操作キーを略一体的に備え、表示部１０１でタッチパネルまたは操作キーを操作することでデータ管理サーバ７０１から送信された情報を表示できるように構成されている。
【００４５】
表示部１０１には、図５，図７に示すように、画像形成装置１による処理モードを選択する操作キー１１０が表示されている。操作キー１１０には、ＤＯＣＵＭＥＮＴ  ＦＩＬＩＮＧ  モード用のアイコン１１１ａ、ＩＭＡＧＥ  ＳＥＮＤ  モード用のアイコン１１１ｂ、ＣＯＰＹ  モード用のアイコン１１１ｃが設けられている。そして、操作キー１１０により、ＣＯＰＹ  モード、ＩＭＡＧＥ  ＳＥＮＤ  モード、ＤＯＣＵＭＥＮＴ  ＦＩＬＩＮＧ  モードが選択可能になっている。
【００４６】
表示部１０１は、画像形成装置１の電源をＯＮにすると、図示しない初期画面が表示され、操作キー１１０のうちのＤＯＣＵＭＥＮＴ  ＦＩＬＩＮＧ  モード用のアイコン１１１ａが選択されると、図５に示すように、ＤＯＣＵＭＥＮＴ  ＦＩＬＩＮＧ  モードの初期画面１１０ａが表示される。
【００４７】
ＤＯＣＵＭＥＮＴ  ＦＩＬＩＮＧ  モードの初期画面１１０ａの画面左下には、操作キーとしてのプレビュー確認用アイコン１２０ａが表示される。プレビュー確認用アイコン１２０ａをタッチすると、画像形成装置１が受信したメール等の情報を表示部１０１に表示するようにされている。
【００４８】
本実施形態では、画像形成装置１に新規メールが受信されると、ＤＯＣＵＭＥＮＴ  ＦＩＬＩＮＧ  モード用のアイコン１１１ａが点滅するようにされている。そして、プレビュー確認用アイコン１２０ａが選択されると、図６に示すように、例えば、販売店のデータ管理サーバ７０１から画像形成装置１（ユーザ側）へ通知されるメッセージのプレビュー画面１０１ａが表示部１０１に表示される。
【００４９】
具体的には、画像形成装置１側で算出された消耗品による印刷枚数が消耗品のメーカー保証の印刷枚数に近づいたと判断された場合に、販売店のデータ管理サーバ７０１から画像形成装置１（ユーザ側）に対して、図６に示すように、消耗品の購入時期が近づいたという消耗品購入情報１０１ａ１と消耗品の注文先情報１０１ａ２を含むメッセージが通知される。
【００５０】
また、操作キー１１０のうちのＩＭＡＧＥ  ＳＥＮＤ  モード用のアイコン１１１ｂが選択されると、図７に示すように、ＩＭＡＧＥ  ＳＥＮＤ  モードの初期画面１１０ｂが表示される。
【００５１】
ＩＭＡＧＥ  ＳＥＮＤ  モードの初期画面１１０ｂの画面左下には、操作キーとしてのＥｃｏｖｉｅｗアイコン１２０ｂが表示される。Ｅｃｏｖｉｅｗアイコン１２０ｂをタッチすると、表示部１０１には、使用している画像形成装置１に関する情報を取得するための選択画面が表示される。画像形成装置１に関する情報には、画像形成装置１に用いられる消耗品の情報を含む。本実施形態において、消耗品は温室効果ガス排出権付き消耗品とする。
なお、ここでは、画像形成装置１に関する情報の取得については説明を省略する。
【００５２】
また、操作パネル１００は、リスト表示とサムネイル表示とを切り替えるアイコン（図示省略）と、ＩＭＡＧＥ  ＳＥＮＤ  モードの初期画面１１０ｂに戻すためのアイコン（図示省略）を備えている。
【００５３】
消耗品には、図示しないカーボンフットプリントラベル（カーボンフットプリントマーク）が備えられている。また、再生消耗品には、再生消耗品のライフサイクルにおける温室効果ガス排出量をＣＯ２排出量に換算した値と、その値を説明する説明文とを表示してもよい。
【００５４】
カーボンフットプリントラベルは、商品及びサービスの原材料調達から廃棄・リサイクルに至るライフサイクル全体を通しての環境負荷を定量的に算定するＬＣＡ（ライフサイクルアセスメント）手法を活用し、ライフサイクル全体における温室効果ガス排出量をＣＯ２に換算し表示するものである。
【００５５】
カーボンフットプリントラベルのマーク中に表示する重量（ｋｇ）は、例えば、消耗品であるトナーカートリッジのライフサイクル段階における原材料調達から廃棄・リサイクルまでのＣＯ２排出量換算値の合計量を示すものである。
【００５６】
ここで、トナーカートリッジのライフサイクルにおける情報とは、トナーカートリッジの原材料調達段階に始まり、生産段階、流通段階、使用・維持管理段階、廃棄・リサイクル段階の間に排出する温室効果ガスの種類と排出量の情報である。
【００５７】
温室効果ガスの種類には、京都議定書で対象となったＣＯ２、ＣＨ４、Ｎ２Ｏ、ＨＦＣｓ、ＰＦＣｓ、ＳＦ６の６種類があるが、ＣＯ２に換算した値がラベルに記録されるので、Ｅｃｏｖｉｅｗサムネイル表示にはトナーカートリッジのＣＯ２換算値が表示される。
ＣＯ２排出量は、ＬＣＡ（ライフサイクルアセスメント）手法を活用して、下記一般式（Ｉ）で算定される。
【００５８】
ＣＯ２排出量＝Σ（活動量ｉ×ＣＯ２排出原単位）・・・（Ｉ）
ｉは上述した原材料調達から廃棄・リサイクルまでの活動量（プロセス）である。
ライフサイクルの各段階と活動量（プロセス）の例とを（１）から（５）に示す。
（１）原材料調達段階の活動量は、素材使用量である。
（２）生産段階の活動量は、組立て重量および生産時の電力消費量である。
（３）流通段階の活動量は、輸送量（輸送距離と積載率とトラックの積載量との積）である。
（４）使用・維持管理段階の活動量は、使用時の電力消費量である。
（５）廃棄・リサイクル段階の活動量は、埋立重量とリサイクル重量である。
なお、ＣＯ２排出量の単位は（ｋｇ）である。
従って、ラベルには、ＣＯ２の文字とＣＯ２排出量（ｋｇ）との情報が記載される。
また、ＣＯ２排出量の単位は、（ｋｇ）以外にも（ｇ）や（ｔ）といった重量を表す単位でもよい。
【００５９】
ユーザは、トナーカートリッジに表示されたカーボンフットプリントラベルやその説明文を見ることで、温室効果ガス排出の削減と地球環境保全への対応が喚起される。
【００６０】
次に、本実施形態の画像形成装置１に用いられる温室効果ガス排出枠取得システムを構成する画像形成装置１とデータ管理サーバ７０１との接続について説明する。
【００６１】
本実施形態において、画像形成装置１の全体制御は、図２に示すように、制御部５０１により行なわれる。また、画像形成装置１に用いられる再生消耗品の製品情報や再生消耗品の環境対応取得情報であるエコラベル情報は、データ管理サーバ７０１の図示しない記憶部（再生消耗品情報記憶手段）に記憶されている。記憶部は、ＨＤＤ装置であってもよく、Ｂｌｕ−ｒａｙディスク装置、ＲＯＭやＲＡＭ、またはＵＳＢメモリ、メモリカードのメモリであってもよい。
【００６２】
本実施形態では、画像形成装置１とデータ管理サーバ７０１とが通信手段を介して接続されている。例えば、図３に示すように、複数のユーザＡ，Ｂ，Ｃは、それぞれの端末機である画像形成装置１の通信部５０６によりＬＡＮ（ローカルエリアネットワーク）７００を介して画像形成装置や消耗品の販売店やリース会社などのデータ管理サーバ７０１に接続されたり、通信衛星７１１を利用した衛星通信インフラ７１０を介して通信接続することが可能である。
【００６３】
ＬＡＮ（ローカルエリアネットワーク）７００としては、有線の場合は、イーサネット（登録商標）IEEE規格の１０ＢＡＳＥ−Ｔ、１００ＢＡＳＥ−ＴＸ、１０ＧＢＡＳＥ−Ｔ等や、それらの光マルチモードの１０ＢＡＳＥ−Ｆ、１００ＢＡＳＥ−Ｆ、１０００ＢＡＳＥ−Ｘ、１０ＧＢＡＳＥ−Ｒ、１０ＧＢＡＳＥ−Ｗ、１０ＧＢＡＳＥ−Ｘ、無線の場合は、ＷｉＭＡＸのIEEE 802.16（ブロードバンド無線規格）、IEEE 802.16a（固定無線通信の標準規格、IEEE 802.16規格の使用周波数帯を変更したもの）、IEEE 802.16-2004（固定区間に用いられる方式、別名IEEE 802.16a/REVd）、ＷＡＮ、そして、クラウドコンピューティングサービス（専用事業者：クラウドプロバイダー（サーバ７０１ａ））も利用できる。
【００６４】
なお、画像形成装置１とデータ管理サーバ７０１との通信接続の方式は、特に限定されず、例えば、インターネット、イントラネット、エキストラネット、ＩＳＤＮ、ＶＡＮ、ＣＡＴＶ通信網、仮想専用網（virtual private network）、電話回線網、移動体通信網等が利用可能である。
また、通信ネットワークを構成する伝送媒体としては、特に限定されず、例えば、IEEE 1394、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、802.11無線、およびＨＤＲ、携帯電話網、衛星回線、地上波デジタル網等の無線でも利用可能である。
【００６５】
また、画像形成装置１の表示部１０１は、液晶ディスプレイ、有機ＥＬディスプレイ、プラズマディスプレイ、プラズマチューブアレイディスプレイ、電気泳動を始めとする電子ペーパーディスプレイ、電子放出ディスプレイを用いることができ、それらを組み合わせたマルチディスプレイであってもよい。
また、入力部５０５（図３）は、Ｕｂｉ−Ｆｉｎｇｅｒデバイス等を用いたジェスチャー入力装置を利用してもよい。
【００６６】
以下に本発明に係る温室効果ガス削減活動喚起システムの実施例を説明する。
この実施例は、ユーザに温室効果ガス削減活動に参加を喚起し、さらに社外に温室効果ガス削減活動を行っていることをアピールするとともに、社外にも温室効果ガス削減活動を喚起するものである。
【００６７】
〔第１実施例〕
第１実施例は、上述の温室効果ガス排出枠付き消耗品取得システムを構成する画像形成装置１である。
図８は、制御部５０１の動作を示す制御フローチャートである。以下にフローチャートに基づいて制御部５０１の動作を説明する。
【００６８】
制御部５０１は、画像形成装置１の電源がＯＮされると（ステップＳ１１）、消耗品が装着されているかどうかを検出部５０９ａにより確認する（ステップＳ１２）。装着されていれば、制御部５０１は、検出部５０９ａにより検出された消耗品の記憶手段に記憶された記憶情報を温室効果ガス排出権クレジット番号、または温室効果ガス削減プロジェクト番号に相当するデータであるかを確認する（ステップＳ１３）。そのデータである場合、制御部５０１は画像形成装置１の記憶部５０２に記憶されている正規の温室効果ガス排出権クレジット番号、または温室効果ガス削減プロジェクト番号の情報を検出データと伴に演算部５０３に送る。
【００６９】
制御部５０１は、演算部５０３に、消耗品の検出データと画像形成装置の記憶データとを照合して正規の温室効果ガス排出権クレジット番号、または温室効果ガス削減プロジェクト番号であるかを判定させる（ステップＳ１４）。判定の結果、正規の温室効果ガス排出権クレジットであった場合は、演算部５０３は、その旨を制御部５０１に通知して、制御部５０１は記憶部５０２から図９の書式と書式を作成するプログラムとを読出し、その書式を表示部１０１に表示させる（ステップＳ１５）。
【００７０】
図９に示すように、この表示には、画像形成装置に使用されている消耗品が「温室効果ガス排出権付き」であることをユーザに報知し、さらに表示部１０１の下側には「※当社は地球環境に優しい取り組みを推進しています。」と表示して、ユーザに温室効果ガス削減の活動への参加を喚起する。こうして、ユーザは画像形成装置を使用する場合には、温室効果ガス削減の活動への参加を喚起されることにより、消耗品を発注するときも、温室効果ガス排出権付きの消耗品を購入しようとする意識付けがされる。
【００７１】
印刷モードとして「社外用印刷モード」のキーアイコン２０１、「社内用印刷モード」２０２のキーアイコンを表示し、ユーザに選択させる。表示部１０１には、「社外用印刷モードのキーアイコン２０１を選択すれば、温室効果ガス削減活動に参加していることをアピールするとともに、相手にも温室効果ガス削減活動を喚起する印刷サービスを行うこと表示する。
「社内用印刷モード」のキーアイコン２０２を選択すれば、上記印刷サービスのない通常印刷となる。
【００７２】
ユーザが図９の「社外用印刷モード」のキーアイコン２０１を選択して、「印刷モードを確定」のキーアイコン２０３を押して印刷モードを確定させると（ステップＳ１６）、社外用印刷モードの印刷処理に入る（ステップＳ１７）。「社内用印刷モード」のキーアイコン２０２を選択すると通常印刷処理となる（ステップＳ１８）。
【００７３】
社外用印刷モードの処理は、例えば以下のように処理が行われる。
まず図１０の「社外用印刷モードのご説明」を表示する。ユーザは、例えば、印刷番号１、「弊社は温室効果ガス削減事業を推進しております。」（アピール文章）を選択して、「選択を確定してプレビュー表示する」キーアイコン２０４を選択すると、プレビュー表示である図１１を表示する。図１１は名刺用のプレビュー画面である。表示画面の左側に縦書き名刺のプレビュー、右側に横書き名刺のプレビューが表示され、共に名刺下側に「弊社は温室効果ガス削減事業を推進しております。」という印刷文言が配置される。表示画面の下側には、「確定して初期画面へ」キーアイコン２０６、「印刷レイアウトを変更する」キーアイコン２０７、「他も見る」キーアイコン２０８、「選択を中止する」キーアイコン２０９が表示される。ユーザが、このプレビュー画面で良ければ「確定して初期画面へ」キーアイコン２０６を押して、プレビュー画面で確定して社外用印刷モードを追加した初期画面を表示する。しかし、印刷レイアウトを変更したい場合は、「印刷レイアウトを変更する」キーアイコン２０７を選択して図１２を表示させる。図１２は、名刺の左側に縦に「弊社は温室効果ガス削減事業を推進しております。」と印刷文言を配置する。
【００７４】
なお、図１０に社外用印刷に適応させる名刺、封書、葉書、社外用プレゼン資料等を選択するアイコンを備えてもよい。そうすることで、ユーザが見たい書類のプレビュー画面をダイレクトに表示して操作の手間が省略できる。
【００７５】
図１１及び図１２の「他も見る」のキーアイコン２０８を選択すると、図１３から図１４に示すプレゼンテーション書類のプレビュー画面を表示する。操作内容は、名刺のプレビュー画面の操作と同じである。図１３では書類の下側に「弊社は温室効果ガス削減事業を推進しております。」という印刷文言を配置する。図１４では、縦型書類では左端に縦書きで、横型書類では上端に横書きで、「弊社は温室効果ガス削減事業を推進しております。」の印刷文言を配置する。
【００７６】
図１０〜図１４の「選択を中止する」キーアイコン２０５，２０９を選択すると、選択を中止して、初期画面を表示する。
【００７７】
なお、印刷レイアウトは、アピール文章の配置以外に、フォント（大きさやスタイル）、色、網掛けなど一般に使用されているものであってもよい。
また、プレビュー表示するので、アピール文章と書類の文章や図柄などと識別可能な位置に自由に設定でき、余白以外のユーザの好みに応じて配置できる。
さらに、プレゼンテーション書類などのように、複数枚の書類で一部を構成した書類は、表紙（１枚目）以外にも複数枚にアピール文章を配置してもよいし、アピール文章を異なる配置で複数枚の書類を構成してもよい。
【００７８】
印刷ＪＯＢを既に画像形成装置が受け付けている場合は、図５のドキュメントファイリングを点滅させてユーザに知らせ、図７に示すように、画像形成装置を他のユーザが使用していない時にエコビューアイコンを選択して、図９から図１４を表示するようにしてもよい。
【００７９】
〔第２実施例〕
第２実施例は、図３に示す管理サーバ３０１により、表示装置３２０に温室効果ガス削減活動をアピールする表示をさせるシステムである。図１５は、この「温室効果ガス削減活動喚起システム」を示すブロック図、図１６は表示装置の一表示例を示す説明図、図１７は温室効果ガス削減活動喚起システムの処理を示すフローチャート、図１８は表示装置の他の表示例を示す説明図である。
【００８０】
図１７のフローチャートに従って、「温室効果ガス削減活動喚起システム」の処理動作を説明する。
画像形成装置１の電源がＯＮすると（ステップＳ２１）、管理サーバ３０１の制御部３０３は、通信部３０２とＬＡＮ７００を介して画像形成装置１と通信可能かを確認する（ステップＳ２２）。通信可能であれば、ステップＳ２３に進んで画像形成装置１と通信を確立し、通信が不可能であれば処理を終了する。
【００８１】
次に、管理サーバ３０１の制御部３０３は、画像形成装置１の記憶部５０２に記憶されているドキュメントファイルに社外印刷モードの書類があるかを確認する（ステップＳ２４）。社外用印刷モードの書類があれば、画像形成装置１の記憶部５０２に記憶された書式と書式を作成するプログラムとを、ＬＡＮ７００と通信部３０２を介して取得し、管理サーバ３０１の記憶部３０４に記憶する（ステップＳ２５）。社外用印刷モードの書類がなければ、処理を終了する。
【００８２】
次に、管理サーバ３０１の制御部３０３は、予め管理サーバ３０１に登録されたディスプレイ３２０から書類要求はあるかを確認する（ステップＳ２６）。書類要求、すなわち書式と書式を作成するプログラムとの要求を通信部３０２を介して受け付けた場合、管理サーバ３０１の制御部３０３は、ディスプレイ３２０の制御部３２２に書式と書式を作成するプログラムとを送信する（ステップＳ２７）。ディスプレイ３２０の制御部３２２は、記憶部３２３に記憶させる。そして、図１８に示すように、ディスプレイ３２０の表示部３２４にプレゼンテーション書類３３０を表示させるが、表示書類の上端部に横書きで「弊社は温室効果ガス削減事業を推進しております。」という文章３４０を表示する。
【００８３】
このように制御することで、ディスプレイ３２０を用いたプレゼンテーションが可能となり、プレゼンテーション書類の印刷費用を削減でき、延いては地球温暖化防止に貢献できる。
【００８４】
なおディスプレイ３２０の記憶部３２３には、書式を作成するプログラムを記憶しているので、図１８に示すように、例えば、ディスプレイ３２０の入力手段を用いてプレゼンテーション書類３３０の表示以外の部分の表示部３２４にアピール文章３４０を表示することができる。これにより、よりいっそうプレゼンテーション書類を見やすくできると伴に、プレゼンテーション参加メンバーに温室効果ガス削減を訴求できる。
【００８５】
本発明の実施例は、例えば管理サーバ３０１が企業や団体の所有のものであってもよいし、クラウドコンピューティングサービスを提供するクラウドプロバイダーの所有のものであってもよい。
【００８６】
また、図１５に示す管理サーバ３０１の記憶部３０４とディスプレイ３２０の記憶部３２３は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／Ｂｌｕ−ｒａｙ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８７】
さらに、ディスプレイ３２０の表示部３２４は、液晶ディスプレイ、有機ＥＬディスプレイ、プラズマディスプレイ、プラズマチューブアレイディスプレイ、電気泳動を始めとする電子ペーパーディスプレイ、電子放出ディスプレイを用いることができ、それらを組み合わせたマルチディスプレイであってもよい。
【００８８】
また、表示部を利用したインクジェット記録装置や民生用機器（映像機器、音響機器、などに関連した電子機器やにおいて、一般消費者による使用・一般家庭での使用を目的としているもの、または、そのことを前提に開発・設計された製品・規格を指す）や業務用機器（法人や学校)など、一般家庭以外の用途を前提として開発された製品）にも適用できる。
【００８９】
さらに、管理サーバ３０１は、管理サーバの機能をバックアップするバックアップサーバが接続されていてもよい。これにより、管理サーバがシステムダウンしても本発明のシステムはスムースに運営される。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９１】
１  画像形成装置
３  画像形成部
１０１  表示部
３０１  管理サーバ
３０２  通信部
３０３  制御部
３０４  記憶部
３２０  ディスプレイ（表示装置）
３２２  制御部
３２３  記憶部
３２４  表示部
３３０，３３１  プレゼンテーション書類
３４０  アピール文章
５０１  制御部
５０２  記憶部
５０３  演算部
５０５  入力部
５０６  通信部
５０８ 画像処理部
５０９ 画像形成部
５０９ａ  検出部
５１０ 定着部
５１１  制御部
７００  ローカルエリアネットワーク（ＬＡＮ）
７０１  データ管理サーバ
７０１ａ  サーバ
７１０  衛星通信インフラ
７１１  通信衛星
【図１】
2012226120.tif 000003
【図２】
2012226120.tif 000004
【図３】
2012226120.tif 000005
【図４】
2012226120.tif 000006
【図５】
2012226120.tif 000007
【図６】
2012226120.tif 000008
【図７】
2012226120.tif 000009
【図８】
2012226120.tif 000010
【図９】
2012226120.tif 000011
【図１０】
2012226120.tif 000012
【図１１】
2012226120.tif 000013
【図１２】
2012226120.tif 000014
【図１３】
2012226120.tif 000015
【図１４】
2012226120.tif 000016
【図１５】
2012226120.tif 000017
【図１６】
2012226120.tif 000018
【図１７】
2012226120.tif 000019
【図１８】
2012226120.tif 000020